(57)【要約】  本発明は、設置スペースを減らした端子台に組み込むためのリレー（１００）に関する。リレー（１００）は、アーマチャ（１０３）と、アーマチャ軸受けばね（１０５）と、ヨーク（１０７）とを有する電磁駆動装置（１０１）を備え、アーマチャ（１０３）は、ヨーク（１０７）から少なくとも部分的に離間され、移動可能に装着され、アーマチャ（１０３）に作用する電磁力の影響下でヨーク（１０７）とアーマチャ（１０３）との間の距離を減らすように適合される。アーマチャ軸受けばね（１０５）は、アーマチャ（１０３）にばね力を付与するように適合され、当該ばね力は、電磁力を打ち消し、ヨーク（１０７）は、アーマチャ（１０３）に電磁力を付与すべく、アーマチャと電磁的に相互作用するように適合される。リレーは、第１接触面（１１１−１）とコンタクトアーム（１１３）とを有する接点ばね（１０９）であって、当該コンタクトアーム（１１３）は、第１接触面（１１１−１）から距離を置いて配置され、第１接触面（１１１−１）とコンタクトアーム（１１３）との間の電気的接続を確立すべく、コンタクトアーム（１１３）に作用する圧迫力を用いて第１接触面（１１１−１）と接触するように適合される、接点ばね（１０９）と、アーマチャ（１０３）上に配置され、かつ、コンタクトアーム（１１３）上にある、絶縁要素（１１５）とも含む。絶縁要素（１１５）は、アーマチャ（１０３）をコンタクトアーム（１１３）から電気的に分離するように適合され、アーマチャ（１０３）を動かすことによりコンタクトアーム（１１３）に作用する圧迫力を生成すべく、コンタクトアーム（１１３）を作動させるように適合される。アーマチャ（１０３）、絶縁要素（１１５）、コンタクトアーム（１１３）、およびヨーク（１０７）はそれぞれ、支持面（１１７）と平行に配置され、アーマチャ（１０３）、絶縁要素（１１５）、およびコンタクトアーム（１１３）は、支持面（１１７）に対して垂直に少なくとも部分的に移動可能に装着される。
2021520037.tif 000002
【特許請求の範囲】
【請求項１】
設置スペースを減らした端子台に組み込むためのリレーであって、
アーマチャと、アーマチャ軸受けばねと、ヨークとを有する電磁駆動装置であって、
前記アーマチャは、前記ヨークから少なくとも部分的に離間され、移動可能に装着され、前記アーマチャに作用する電磁力の影響下で前記ヨークと前記アーマチャとの間の距離を減らすように適合され、
前記アーマチャ軸受けばねは、前記電磁力を打ち消すばね力を前記アーマチャに付与するように適合され、
前記ヨークは、前記アーマチャに前記電磁力を付与すべく、前記アーマチャと電磁的に相互作用するように適合される、
電磁駆動装置と、
第１接触面とコンタクトアームとを有する接点ばねであって、前記コンタクトアームは、前記第１接触面から距離を置いて配置され、前記第１接触面と前記コンタクトアームとの間の電気的接続を確立すべく、前記コンタクトアームに作用する圧迫力を用いて前記第１接触面と接触するように適合される、接点ばねと、
前記アーマチャ上に配置され、かつ、前記コンタクトアーム上にある、絶縁要素であって、前記アーマチャを前記コンタクトアームから電気的に分離するように適合され、前記アーマチャを動かすことにより前記コンタクトアームに作用する前記圧迫力を生成すべく、前記コンタクトアームを作動させるように適合される、絶縁要素と
を備え、
前記アーマチャ、前記絶縁要素、前記コンタクトアーム、および前記ヨークはそれぞれ、支持面と平行に配置され、前記アーマチャ、前記絶縁要素、および前記コンタクトアームは、前記支持面に対して垂直に少なくとも部分的に移動可能に装着される、
リレー。
【請求項２】
前記コンタクトアームは、前記圧迫力を打ち消すばね張力を生成すべく、前記圧迫力が前記支持面と垂直に作用すると弾性的に変形するように適合される、請求項１に記載のリレー。
【請求項３】
前記コンタクトアームは、前記ばね張力が前記圧迫力より大きい場合に、前記コンタクトアームの、前記第１接触面との前記電気的接続を分離するように適合される、請求項２に記載のリレー。
【請求項４】
前記コンタクトアームは、前記絶縁要素と垂直に配置される、請求項１から３の何れか一項に記載のリレー。
【請求項５】
前記ヨークはＵ字型であり、第１ヨーク脚部と第２ヨーク脚部とを含み、前記アーマチャは、前記アーマチャ軸受けばねを用いて前記第１ヨーク脚部上に少なくとも部分的に弾性的に装着され、前記第２ヨーク脚部から距離を置いて配置され、前記第１ヨーク脚部および前記第２ヨーク脚部は、前記支持面に配置され、前記アーマチャは、前記第１ヨーク脚部および／または前記第２ヨーク脚部と垂直に配置される、請求項１から４の何れか一項に記載のリレー。
【請求項６】
前記アーマチャは、前記電磁力が作用すると、前記第２ヨーク脚部に向かって移動すること、および／または、前記第２ヨーク脚部の方向に変形することにより、前記支持面の垂直軸に沿って前記アーマチャと前記第２ヨーク脚部との間の距離を減らすべく、常磁性または強磁性である、請求項５に記載のリレー。
【請求項７】
電磁コイルとコイルキャリアとを備え、前記ヨーク上には、前記コイルキャリアと共に前記電磁コイルが配置され、前記ヨークは、前記電磁力を生成すべく、前記電磁コイルにより生成される磁場で前記アーマチャを貫通するように適合される、請求項１から６の何れか一項に記載のリレー。
【請求項８】
前記コイルキャリアは、前記支持面と垂直な幅を減らすべく、前記電磁コイルが前記ヨークに少なくとも部分的に係合する、前記支持面と平行な窪みを含む、請求項７に記載のリレー。
【請求項９】
前記接点ばねは、第２接触面を含み、前記コンタクトアームは、前記第２接触面上に配置され、前記圧迫力の影響下で前記第２接触面を前記コンタクトアームから電気的に分離するように適合される、請求項１から８の何れか一項に記載のリレー。
【請求項１０】
前記コンタクトアームは、前記圧迫力が収まった後に、前記コンタクトアームの、前記第２接触面への前記電気的接続を復元するように適合される、請求項９に記載のリレー。
【請求項１１】
前記コンタクトアームは、位置方向に前記アーマチャと垂直に配向され、前記第１接触面は、前記第２接触面よりも、前記位置方向に沿った前記絶縁要素からの距離が短い、請求項９または１０に記載のリレー。
【請求項１２】
前記電磁駆動装置を前記絶縁要素および前記接点ばねと共に受け入れるためのシェル型の受け入れニッチを有するリレーハウジングを備え、前記接点ばねは、前記リレーのリレー幅を減らすべく、前記ヨークに横方向に隣接して配置される、請求項１から１１の何れか一項に記載のリレー。
【請求項１３】
前記リレー幅に対して、前記第１接触面は、前記リレーハウジングのベース面上にあり、前記コンタクトアームは、前記第１接触面の上方に距離を置いて配置され、前記絶縁要素は、前記コンタクトアームの上方または隣に配置される、請求項１２に記載のリレー。
【請求項１４】
前記コンタクトアームは、接触部分と、クランク部分と、固定部分とを含み、前記第１接触面は、前記接触部分上に配置され、前記接触部分は、前記クランク部分を介して前記固定部分に接続され、前記クランク部分は、前記リレー幅と平行に、特に前記支持面と垂直に位置合わせされる軸に沿ってオフセットされた前記固定部分に対して前記接触部分を位置決めするように適合される、請求項１２に記載のリレー。
【請求項１５】
前記コンタクトアームは、前記接触部分および／または前記クランク部分上に横方向に形成される受け入れアームを含み、前記受け入れアームは、前記絶縁要素との形状適合接続および／または圧入接続を形成すべく、前記絶縁要素を少なくとも部分的に受け入れるように適合される、請求項１４に記載のリレー。
【発明の詳細な説明】
【技術分野】
【０００１】
本発明は、設置スペースを減らした端子台に組み込むためのリレーに関する。
【０００２】
リレーは、観察される最小絶縁距離に対して最小間隔を有する電気的接続接点を含むことができる。リレーの電気的接続接点は通常、最小絶縁距離に従って一列に配置される。絶縁距離が最小絶縁距離を下回るのを防止する必要があるかもしれない。それに応じて、特に端子台に相互に隣接して配置されるリレーの充填密度の増加は、電気的接続接点の列と垂直な幅を減らすことにより実現することができる。リレー内の従来の開閉装置は例えば、最小幅が５〜６ｍｍであり、最小台幅６ｍｍの端子台に使用され得る。故に、これらのリレーは幅３ｍｍの端子台には適さず、これらの端子台を使用できないかもしれないという欠点がある。
【０００３】
本開示の目的は、特により少ない設置スペースを占めるマグネットシステムを含む、より効率的なリレーを提供することである。
【０００４】
この目的は、独立請求項の特徴により実現される。有利な実施形態は、従属請求項の主題、本明細書、および添付の図である。
【０００５】
本開示は、上記の目的が、アーマチャと、アーマチャ軸受けばねと、ヨークとを含むリレーにより実現されるという知識に基づいている。アーマチャおよびヨークは支持面と平行に配置され、アーマチャは、アーマチャ軸受けばねを用いてヨーク上の支持面と垂直な作動方向に保持される。アーマチャは、アーマチャを少なくとも部分的に作動方向に沿って動かすべく、ヨークと電磁的に相互作用することができる。アーマチャの動きに伴い、絶縁要素との結合を介して機械的な開閉接点を開閉することができる。開閉接点は、作動方向と平行な方向に切り替えることができる。
【０００６】
第１態様によれば、本開示は、設置スペースを減らした端子台に組み込むためのリレーに関する。リレーは、アーマチャと、アーマチャ軸受けばねと、ヨークとを含む電磁駆動装置を有する。アーマチャは、ヨークから少なくとも部分的に離間され、移動可能に装着され、アーマチャに作用する電磁力の影響下でヨークとアーマチャとの間の距離を減らすように適合される。更に、アーマチャ軸受けばねは、アーマチャにばね力を付与するように適合され、当該ばね力によって電磁力は打ち消される。ヨークは、アーマチャに電磁力を付与すべく、アーマチャと電磁的に相互作用するように適合される。
【０００７】
更に、リレーは、第１接触面とコンタクトアームとを含む接点ばねを有する。コンタクトアームは、第１接触面から距離を置いて配置され、第１接触面とコンタクトアームとの間の電気的接続を確立すべく、コンタクトアームに作用する圧迫力を用いて第１接触面と接触するように適合される。更に、リレーは、アーマチャ上に配置され、かつ、コンタクトアーム上にある、絶縁要素を含む。絶縁要素は、アーマチャをコンタクトアームから電気的に分離するように適合され、アーマチャを動かすことによりコンタクトアームに作用する圧迫力を生成すべく、コンタクトアームを作動させるように適合される。
【０００８】
アーマチャ、絶縁要素、コンタクトアーム、およびヨークはそれぞれ、支持面と平行に配置され、アーマチャ、絶縁要素、およびコンタクトアームは、支持面に対して垂直に少なくとも部分的に移動可能に装着される。
【０００９】
リレーは特に、リレーの高さ、幅、奥行き、および／または接続接点構成を定義する際に用いる、標準化された構造寸法および／または設置面積を有するリレーに対応することができる。例えば、リレーは、幅の狭いネットワークリレー（ＳＮＲ）であってよい。特に、リレーの幅は、６ｍｍから３ｍｍまたは３．５ｍｍに減らすことができる。
【００１０】
電磁駆動装置は、電気エネルギーを吸収することによりアーマチャの回転を生成するように適合されてよく、当該アーマチャは、絶縁要素を介して接点ばねに結合される。故に、接触面とコンタクトアームとの間の電気的接触を遮断または確立すべく、接点ばねのコンタクトアームを動かすことができる。
【００１１】
アーマチャの回転量は、コンタクトアームの並進量に対して異なっていてよい。なぜなら、絶縁要素は、アーマチャの回転に対してコンタクトアームの並進を増加および／または減少させる際に用いられるテコを形成できるからである。更には、アーマチャに作用する電磁力を絶縁要素によってコンタクトアームに伝達することができるため、コンタクトアームは例えばテコ力で接触面に作用する。テコ力は、電磁力より大きくても小さくてもよい。
【００１２】
有利なことに、コンタクトアーム、絶縁要素、およびアーマチャは、アーマチャからコンタクトアームへの力の効率的な伝達を実現すべく、ガタつきなく支持される。特に、コンタクトアームにより生成されるばね力を用いて、コンタクトアームと絶縁要素との間の結合に圧縮応力を与えることができる。絶縁要素は、特に形状適合（ｆｏｒｍ−ｆｉｔｔｉｎｇ）接続および／または圧入接続によって、アーマチャにしっかりと接続することもできる。
【００１３】
アーマチャは、第１面がヨーク上に静止してよく、第２面がヨークから離間され得る。その結果、第２面とヨークとの間の距離によって加工間隙が形成され、加工間隙は、アーマチャとヨークとの間の電磁力の作用に起因するアーマチャの回転によって克服することができる。アーマチャは、特に傾動および／または屈曲により、加工間隙を克服することができる。
【００１４】
絶縁要素は例えば、アーマチャの延長部を形成することができ、絶縁要素は特に、アーマチャの第１面からの距離の方が第２面からの距離より長い。その結果、絶縁要素は、加工間隙を克服するときに、加工間隙によって定義される距離より長い距離をカバーする。
【００１５】
一実施形態では、コンタクトアームは、圧迫力を打ち消すばね張力を生成すべく、圧迫力が支持面と垂直に作用すると弾性的に変形するように適合される。
【００１６】
コンタクトアームの弾性および／または柔軟性は、絶縁要素がコンタクトアームを圧迫する圧迫力が、ばね張力と反対の方向、特に支持面と垂直な方向へのコンタクトアームの並進を実現するのに十分な大きさになるように設定することができる。コンタクトアームの並進によって克服され得る距離は、コンタクトアームと第１接触面との間の機械的接触によって電気的接続を確立すべく、少なくともコンタクトアームと第１接触面との間の距離に対応する。
【００１７】
更に、コンタクトアームは、特に圧迫力が作用しているときに移動可能に装着されてよく、回動または傾動で第１接触面と接触すべく、回転軸または傾斜軸を介して回転可能に装着されてよい。第１接触面との接触を解除すべく、コンタクトアームを、特に圧入接続および／または形状適合接続によって、絶縁要素に接続できるため、コンタクトアームは両方向への絶縁要素の動きに追従することができる。
【００１８】
一実施形態では、コンタクトアームは、ばね張力が圧迫力より大きい場合にコンタクトアームと第１接触面との間の電気的接続を分離するように適合される。これには、ヨークとアーマチャとの間に作用する電磁力が減衰した場合に、コンタクトアームを第１接触面から電気的に分離すべく、第１接触面でのコンタクトアームの支持を解消できるという利点がある。
【００１９】
特に、アーマチャ軸受けばねを用いてアーマチャに作用するばね力に加えて、ばね張力があると、ヨークとアーマチャとの間に加工間隙を作ることで、ヨークからのアーマチャの復動を実現することができる。弾性変形の結果として、アーマチャは、ばね力および／またはばね張力に加えて、ヨークからのアーマチャの戻りを実現する張力を有することができる。
【００２０】
一実施形態では、コンタクトアームが絶縁要素と垂直に配置される。結果として、絶縁要素またはアーマチャの方向におけるリレーのリレー全長を減らすことができる。コンタクトアームを支持面に垂直に並べることで、リレーハウジングの外側に配置され得るコンタクトアームの電気的接続接点を、コンタクトアームの並び方に沿って配置することができる。故に、リレーのリレー全長は、コンタクトアームの幅の分のみ増やすことができる。
【００２１】
更には、第１接触面の更なる電気的接続接点を、コンタクトアームに少なくとも部分的に平行なリレーハウジングから導出することができる。故に、リレー全長の増加に寄与し得るのは、更なる電気的接続接点の幅だけである。加えて、接続接点間に必要とされる可能性のある絶縁距離を考慮しなければならない。これには接点間の最小距離が必要なため、最小距離はリレー全長の増加に寄与し得る。
【００２２】
一実施形態では、ヨークはＵ字型であり、第１ヨーク脚部と第２ヨーク脚部とを含み、アーマチャは、アーマチャ軸受けばねを用いて第１ヨーク脚部上に少なくとも部分的に弾性的に装着され、第２ヨーク脚部から距離を置いて配置され、第１ヨーク脚部および第２ヨーク脚部は、支持面に配置され、アーマチャは、第１ヨーク脚部および／または第２ヨーク脚部と垂直に配置される。
【００２３】
アーマチャは例えば、第１面が第１ヨーク脚部上にあってよい、および／または、第２面が第２ヨーク脚部と位置合わせされ得る。その結果、アーマチャがヨークと電磁的相互作用をしている間、アーマチャは第２ヨーク脚部上で第２面と接触する。
【００２４】
アーマチャは、アーマチャ軸受けばねを介して圧入により第１ヨーク脚部に取り付けることができる。特に、アーマチャ軸受けばねは、アーマチャの第１面を第１ヨーク脚部上に押し付けるように適合され得る。アーマチャ軸受けばねは、アーマチャがばね張力により静止位置を超えてヨークから遠ざけられている場合に、コンタクトアームのばね張力を打ち消すこともできる。故に、この場合は、アーマチャ軸受けばねのばね力がコンタクトアームのばね張力を打ち消すことができる。
【００２５】
アーマチャは例えば、第１ヨーク脚部および第２ヨーク脚部のそれぞれの端部と接触してもよいし、これらのヨーク脚部と位置合わせされてもよい。アーマチャは、ヨーク脚部が平行に位置合わせされるリレーのリレー高に対してヨークと面一に配置されてもよいし、アーマチャによりリレーの高さが増加するのを防止すべく、よく低く配置されてもよい。
【００２６】
一実施形態では、アーマチャは、電磁力が作用すると、第２ヨーク脚部に向かって移動すること、および／または、第２ヨーク脚部の方向に変形することにより、支持面の垂直軸に沿ってアーマチャと第２ヨーク脚部との間の距離を減らすべく、常磁性または強磁性である。これには、絶縁要素を介して接点ばねを作動させるべく、アーマチャと第２ヨーク脚部との間の加工間隙をアーマチャが克服できるという利点がある。アーマチャの復動は、コンタクトアームにより付与されるばね張力、および／または、アーマチャ軸受けばねにより付与されるばね力によって実現することもできる。一実施形態では、リレーは、電磁コイルとコイルキャリアとを備え、ヨーク上には、コイルキャリアと共に電磁コイルが配置され、ヨークは、電磁力を生成すべく、電磁コイルにより生成される磁場でアーマチャを貫通するように適合される。ヨークは特に、電磁コイルのコイル芯を形成することができ、電磁コイルに電流が流れると、磁場がコイル芯を貫通する。
【００２７】
ヨークは強磁性であっても常磁性であってもよいため、磁場をヨークに誘導することができる。ヨークは、ヨークの、アーマチャへの磁気結合を高めるべく、第２ヨーク脚部とアーマチャとの間、特に第２面上の磁場強度を高めることができるように有利に形作られる。
【００２８】
一実施形態では、コイルキャリアは、支持面と平行な窪みを含み、この窪みにおいて、支持面と垂直な幅を減らすべく、電磁コイルがヨークに少なくとも部分的に係合する。
【００２９】
これには、ヨークと電磁コイルとの複合体が最小幅を有するため、リレーの幅が有利なことに増加することも最小になることもないという利点がある。電磁駆動装置により生成でき、かつ、アーマチャとヨークとを結合できる磁力は、電磁コイルのインダクタンスと、相互の透磁率および／または並び方と、アーマチャおよびヨークの形状とに依存することができる。電磁コイルのインダクタンスはコイル巻線の数に比例してよく、リレー幅の方向におけるコイルに必要な空きスペースはまた、コイル巻線の数によって増加する。
【００３０】
それに応じて、アーマチャの、ヨークとの電磁結合強度は、ヨークの幅に依存することができる。故に、アーマチャとヨークとの間の電磁結合強度を、所定の最大リレー幅で最大化する必要があるかもしれない。従って、リレー幅の方向において可能な限り広い幅をヨークおよび／またはコイル巻線で満たすのが有利である。それに応じて、リレー幅の方向における窪みを持つコイルキャリアの幅が最小化されるため、電磁コイルまたはヨークに利用可能な設置スペースを最大化することができる。
【００３１】
コイルホルダは、電磁コイルを第１ヨーク脚部の側面に、特に、リレー幅と垂直に配向される第１ヨーク脚部の側面上に保持するように適合され得る。
【００３２】
リレーは更に、更なる電磁コイルを含むことができ、電磁コイルは第１ヨーク脚部上に配置され、更なる電磁コイルは第２ヨーク脚部上に配置される。これらの電磁コイルは、直列または並列に相互に電気的に接続することができる。コイルには、２つのリレー接続接点を介して電気信号を供給することができる。
【００３３】
一実施形態では、接点ばねは、第２接触面を含み、コンタクトアームは、第２接触面上に配置され、圧迫力の影響下で第２接触面をコンタクトアームから電気的に分離するように適合される。これには、リレーが２つの閉接点を含むことができるという利点がある。第１開閉状態では、リレーが第１接触面とコンタクトアームとの間の電気的接続を確立することができ、第２開閉状態では、リレーが第２接触面とコンタクトアームとの間の電気的接続を確立することができる。
【００３４】
一実施形態では、コンタクトアームは、圧迫力が収まった後に、コンタクトアームの、第２接触面への電気的接続を復元するように適合される。これには、リレーが第１開閉状態または第２開閉状態の何れか一方にあることから、特に、コンタクトアームが第１接触面とも第２接触面とも電気的接触を行わない位置にコンタクトアームが留まることを防止できるという利点がある。
【００３５】
一実施形態では、コンタクトアームは、位置方向にアーマチャと垂直に配向され、第１接触面は、第２接触面よりも、位置方向に沿った絶縁要素からの距離が短い。これには、リレーのリレー長を有利に減らすことができるという利点がある。コンタクトアームは特に、第１ヨーク脚部および／または第２ヨーク脚部と平行に位置合わせされてよく、絶縁要素および／またはアーマチャとの直角を含むことができる。
【００３６】
第１接触面および第２接触面は特に、相互にオフセットされたコンタクトアームと電気的に接触することができる。第１接触面および／または第２接触面の、コンタクトアームとの接触面では、それぞれの接触面および／またはコンタクトアーム上に、リレー幅の方向においてある幅を有する接触点を設けることができる。故に、第２接触面の接触点に対する第１接触面の接触点のオフセット配置によって、これらの接触点が上下に配置されるのを防止し、その結果、このような接触点の配置でリレー幅を有利に減らすことができる。
【００３７】
一実施形態において、リレーは、電磁駆動装置を絶縁要素および接点ばねと共に受け入れるためのシェル型の受け入れニッチを有するリレーハウジングを備え、接点ばねは、リレーのリレー幅を減らすべく、ヨークに横方向に隣接して配置される。リレーハウジングは特に、電磁駆動装置および／または接点ばねを外部の影響、特に湿気および／または汚染から保護すべく、リレーを塵密および／または液密に閉じるように適合され得る。従って、リレーは、爆発の可能性がある領域でも使用することができる。更には、リレーを保護雰囲気下で組み立て、かつ、リレーハウジングで密封することができるため、リレーハウジング内に保護雰囲気が維持される。リレーは例えば、接点の侵食および／またはアーク、および／または接触点における腐食を防止すべく、保護流体、特に保護ガスで満たすことができる。
【００３８】
ハウジングは、形状適合接続および／または圧入接続によってリレーハウジング内の接点ばねおよび／または電磁駆動装置の部品を保持するように適合される保持用の凹部およびラッチ要素を含むことができる。
【００３９】
一実施形態では、リレー幅に対して、第１接触面は、リレーハウジングのベース面上に配置され、コンタクトアームは、第１接触面の上方に距離を置いて配置され、絶縁要素は、コンタクトアームの上方または隣に配置される。特に、コンタクトアームは、第１接触面の上方および／または第２接触面の下方に、支持面と垂直な開閉方向に配置される。絶縁要素は、この開閉方向において、コンタクトアームの上方でそれと接触してもよいし、それに接続されてもよい。リレー幅を更に減らすべく、絶縁要素をコンタクトアームと横方向に接続することで、開閉方向においてコンタクトアームを超えて突出しないようにすることができる。
【００４０】
一実施形態において、コンタクトアームは、接触部分と、クランク部分と、固定部分とを含み、第１接触面は、接触部分上に配置され、接触部分は、クランク部分を介して固定部分に接続され、クランク部分は、リレー幅と平行に、特に支持面と垂直に位置合わせされる軸に沿ってオフセットされた固定部分に対して接触部分を位置決めするように適合される。
【００４１】
コンタクトアーム、特にクランク部分は、第２接触面と固定部分との間のリレー高の方向における距離を克服すべく、階段状、例えばＺ字型またはＳ字型であってよい。更に、クランク部分は、ばね要素を含むことができる、および／または、ばねアームが絶縁要素を介して偏向されたときに復元力を生成すべく、弾性的になるように適合されてよい。この静止力によってコンタクトアームは開始位置内に戻る。
【００４２】
固定部分は、リベット、溶接、はんだ、接着剤、および／またはスナップ接続で部分レセプタクルに固定されるように適合され得る。部分レセプタクルは、特に導電性を有するように適合され、開閉接続接点に接続され、コンタクトアームは、開閉接続接点を介して電気信号を受けることができる。
【００４３】
更には、クランク部分により実現されるオフセット部分と接触部分との間のオフセットを、特にリレー幅より小さくすることができる。接触部分は、第１接触領域および第２接触領域への電気的接続のための接触点を含む。
【００４４】
一実施形態では、コンタクトアームは、接触部分および／またはクランク部分上に横方向に形成される受け入れアームを含み、受け入れアームは、絶縁要素との形状適合接続および／または圧入接続を形成すべく、絶縁要素を少なくとも部分的に受け入れるように適合される。
【００４５】
これには、絶縁要素への機械的接続を、コンタクトアームの、第１接触面および／または第２接触面との電気的接触から空間的に切り離すことができるという利点がある。それに応じて、受け入れアームは、利用可能な設置スペースを最適に使用できるように、特に、リレーの必要スペース（設置面積）および／またはリレー幅が増加しないように配置することができる。
【００４６】
受け入れアームは、コンタクトアームから四分円状に、特に支持面と平行に延在することができる。更に、受け入れアームは形状適合コネクタを含むことができ、形状適合コネクタを用いて、受け入れアームを形状適合方式および／または圧入方式で絶縁要素に接続することができる。受け入れアームは半円を形成することもでき、受け入れアームが半円の頂点でコンタクトアームと交差するため、コンタクトアームは、コンタクトアームの両側で、支持面と平行に、湾曲したアーム、特に四分円状のアームを形成する。コンタクトアームは、特にリレーハウジングのベースプレート寄りに、またはリレーを終了させる側壁寄りにコンタクトアームを配置すべく、リレー高と平行な軸に沿ってコンタクトアームの接触部分に対して距離を置いて配置することができる。結果として、リレー幅および／またはリレー高を有利に減らすことができる。
【図面の簡単な説明】
【００４７】
添付の図を参照しながら、更なる例示的な実施形態について説明する。添付の図は以下を示す。
【図１】ある実施形態におけるリレーを示す。
【図２ａ】ある実施形態におけるリレーを示す。
【図２ｂ】ある実施形態におけるリレーを示す。
【図３】ある実施形態におけるリレーを示す。
【図４ａ】ある実施形態におけるリレーを示す。
【図４ｂ】ある実施形態におけるリレーを示す。
【図５】ある実施形態におけるリレーを示す。
【図６ａ】一実施形態におけるリレーを示す。
【図６ｂ】一実施形態におけるリレーを示す。
【図７】ある実施形態におけるリレーを示す。
【図８ａ】ある実施形態におけるリレーを示す。
【図８ｂ】ある実施形態におけるリレーを示す。
【発明を実施するための形態】
【００４８】
図１は、設置スペースを減らした端子台に組み込むためのリレー１００の概略図を示す。リレー１００は電磁駆動装置１０１を含み、電磁駆動装置１０１は、アーマチャ１０３と、アーマチャ軸受けばね１０５と、ヨーク１０７とを含む。アーマチャ１０３は、ヨーク１０７から少なくとも部分的に離間され、移動可能に装着され、アーマチャ１０３に作用する電磁力の影響下でヨーク１０７とアーマチャ１０３との間の距離を減らすように適合される。
【００４９】
アーマチャ軸受けばね１０５は、アーマチャ１０３にばね力を付与するように適合され、当該ばね力によって電磁力は打ち消される。更に、ヨーク１０７は、アーマチャ１０３に電磁力を付与すべく、アーマチャ１０３と電磁的に相互作用するように適合される。
【００５０】
リレー１００は更に、第１接触面１１１−１とコンタクトアーム１１３とを含む接点ばね１０９を有する。コンタクトアーム１１３は、第１接触面１１１−１から距離を置いて配置され、第１接触面１１１−１とコンタクトアーム１１３との間の電気的接続を確立すべく、コンタクトアーム１１３に作用する圧迫力を用いて第１接触面１１１−１と接触するように適合される。
【００５１】
リレー１００は更に、アーマチャ１０３上に配置され、かつ、コンタクトアーム１１３上にある、絶縁要素１１５を含む。絶縁要素１１５は、アーマチャ１０３をコンタクトアーム１１３から電気的に分離するように適合され、アーマチャ１０３を動かすことによりコンタクトアーム１１３に作用する圧迫力を生成すべく、コンタクトアーム１１３を作動させるように適合される。アーマチャ１０３、絶縁要素１１５、コンタクトアーム１１３、およびヨーク１０７はそれぞれ、支持面１１７と平行に配置され、アーマチャ１０３、絶縁要素１１５、およびコンタクトアーム１１３は、支持面１１７に対して垂直に少なくとも部分的に移動可能に装着される。
【００５２】
コンタクトアーム１１３は、圧迫力を打ち消すばね張力を生成すべく、圧迫力が作用すると支持面１１７と垂直に弾性的に変形するように適合される。更に、コンタクトアーム１１３は、ばね張力が圧迫力より大きい場合にコンタクトアーム１１３と第１接触面１１１−１との間の電気的接続を分離するように適合される。コンタクトアーム１１３は絶縁要素１１５と垂直に配置される。
【００５３】
ヨーク１０７はＵ字型であり、第１ヨーク脚部１１９−１と第２ヨーク脚部１１９−２とを含み、アーマチャ１０３は、アーマチャ軸受けばね１０５を用いて第１ヨーク脚部１１９−１上に弾性的に装着される。第１ヨーク脚部１１９−１および第２ヨーク脚部１１９−２は、支持面１１７に配置され、アーマチャ１０３は、第１ヨーク脚部１１９−１および第２ヨーク脚部１１９−２と垂直に配置される。
【００５４】
リレー１００は更に、２つの電磁コイル１２１−１、１２１−２と、２つのコイルキャリア１２３−１、１２３−２とを含む。第１ヨーク脚部１１９−１上には、コイルキャリア１２３−１と共に電磁コイル１２１−１が配置され、第２ヨーク脚部１１９−２上には、更なるコイルキャリア１２３−２と共に更なる電磁コイル１２１−２が配置される。ヨーク１０７は、電磁力を生成すべく、電磁コイル１２１−１により生成される磁場でアーマチャ１０３を貫通するように適合される。コイルキャリア１２３−１、１２３−２はそれぞれ、支持面１１７と平行な窪み１２５を含み、窪み１２５において、支持面１１７と垂直な、それぞれのヨーク脚部１１９−１、１１９−２と、それぞれの電磁コイル１２１−１、１２１−２と、それぞれのコイルキャリア１２３−１、１２３−２とで構成される複合体の幅を減らすべく、それぞれの電磁コイル１２１−１、１２１−２がそれぞれのヨーク脚部１１９−１、１１９−２に係合する。
【００５５】
接点ばね１０９は、第２接触面１１１−２を含み、コンタクトアーム１１３は、第２接触面１１１−２上に配置され、圧迫力の影響下で第２接触面１１１−２をコンタクトアーム１１３から電気的に分離するように適合される。コンタクトアーム１１３は、圧迫力が収まった後に、コンタクトアーム１１３の、第２接触面１１１−２への電気的接続を復元するようにも適合される。更に、コンタクトアーム１１３は、位置方向１２７にアーマチャ１０３と垂直に配向され、第１接触面１１１−１は、第２接触面１１１−２よりも、方位方向１２７に沿った絶縁要素１１５からの距離が短い。
【００５６】
リレー１００は更にリレーハウジング１２９を含み、リレーハウジング１２９は、電磁駆動装置１０１を絶縁要素１１５および接点ばね１０９と共に受け入れるためのシェル型の受け入れ窪み１３１を含む。接点ばね１０９は、リレー１００のリレー幅を減らすべく、ヨーク１０７に横方向に隣接して配置される。リレー幅に対して、第１接触面１１１−１は、リレーハウジング１２９のベース面１３３上に配置され、コンタクトアーム１１３は、第１接触面１１１−１の上方に距離を置いて配置され、絶縁要素１１５は、コンタクトアーム１１３の上方または隣に配置される。
【００５７】
コンタクトアーム１１３は、接触部分１３５と、クランク部分１３７と、固定部分１３９とを含み、第１接触面１１１−１は接触部分１３５の下方に配置され、第２接触面１１１−２は接触部分１３５の上方に配置される。接触部分１３５は、クランク部分１３７を介して固定部分１３９に接続され、クランク部分１３７は、リレー幅と平行かつ支持面１１７と垂直な軸に沿って固定部分１３９に対してオフセットされた接触部分１３５を位置決めするように適合される。
【００５８】
更に、コンタクトアーム１１３は、接触部分１３５および／またはクランク部分１３７上に横方向に形成される受け入れアーム３０７を含み、受け入れアーム３０７は、絶縁要素１１５との形状適合接続および／または圧入接続を確立すべく、絶縁要素１１５を少なくとも部分的に受け入れるように適合される。
【００５９】
第１接触面１１１−１および第２接触面１１１−２はそれぞれ、円形の固定点、特にリベット留め点を含む、導電性を有するシートメタルブランクから一体に形成される。第１接触面１１１−１はＬ字形であり、短い方の脚部の一端がコンタクトアーム１１３と位置合わせされる。長い方の脚部上には開閉接続接点１４５−１が形成され、開閉接続接点１４５−１は、リレーハウジング１２９から突出し、第１接触面１１１−１に電気信号を付与すべく、コンタクトプラグに挿入されるように適合される。
【００６０】
第２接触面１１１−２は、ある角度で形作られ、第１角度付き脚部１４９が、コンタクトアーム１１３と位置合わせされ、更なる角度付き脚部１５０が、コンタクトアーム１１３と平行に距離を置いて配置される。更なる角度付き脚部１５０上には更なる開閉接続接点１４５−３が形成され、更なる開閉接続接点１４５−３は、リレーハウジング１２９から突出し、第２接触面１１１−２に電気信号を付与すべく、コンタクトプラグに挿入されるように適合される。
【００６１】
第２接触面１１１−２は、角度付き脚部１４９、１５０を接続し、かつ、リレー幅に沿ってまたは支持面１１７と垂直にオフセットされたこれら２つの角度付き脚部１４９、１５０を配置するように適合される、オフセット部分１４７も含む。それに応じて、角度付き脚部１４９は、コンタクトアーム１１３の上方に配置され、更なる角度付き脚部１５０は、１つの平面、特に第１接触面１１１−１を含む支持面１１７に配置される。それに応じて、支持面１１７には、第１接触面１１１−１および第２接触面１１１−２のそれぞれの固定点が幾つか配置される。
【００６２】
リレー１００は更なる開閉接続接点１４５−２も含み、更なる開閉接続接点１４５−２は、開閉接続接点１４５−１および１４５−３と平行に配置され、リレーハウジング１２９から突出する。更なる開閉接続接点１４５−２は、コンタクトアーム１１３と電気的に接続される。
【００６３】
リレー１００は２つのリレー接続接点１４３−１、１４３−２も含み、リレー接続接点１４３−１、１４３−２は、電磁コイル１２１−１、１２１−２に電気信号を付与すべく、電磁コイル１２１−１、１２１−２と電気的に接続される。
【００６４】
図２ａは、リレー１００の概略的な断面図を示す。断面は、図１に示す切断面１４１に沿ったものである。リレー１００は、電磁駆動装置１０１を第１ヨーク脚部１１９−１および第２ヨーク脚部１１９−２と共に受け入れるためのシェル型の受け入れニッチ１３１を含むリレーハウジング１２９を有する。
【００６５】
第２ヨーク脚部１１９−２上には、コイルキャリア１２３−２と共に電磁コイル１２１−２が配置される。ヨーク１０７は、電磁力を生成すべく、電磁コイル１２１−１により生成される磁場でアーマチャ１０３を貫通するように適合される。コイルキャリア１２３−２は、支持面１１７と平行な窪み１２５を含み、窪み１２５において、支持面１１７と垂直な幅を減らすべく、電磁コイル１２１−２が第２ヨーク脚部１１９−２に係合する。
【００６６】
アーマチャ１０３が第２ヨーク脚部１１９−２から距離を置いて配置されるため、アーマチャ１０３と第２ヨーク脚部１１９−２との間には加工間隙２０１が存在する。電磁力の影響下では、アーマチャ１０３の動きで加工間隙２０１を克服できるため、アーマチャ１０３は第２ヨーク脚部１１９−２上に静止する。支持面１１７と平行して延在するリレー接続接点１４３−１も示されている。
【００６７】
図２ｂは、リレー１００の概略的な断面図を示す。断面は、図１に示す切断面１２７に沿ったものである。リレー１００はリレーハウジング１２９を含み、リレーハウジング１２９は、電磁駆動装置１０１を絶縁要素１１５および接点ばね１０９と共に受け入れるためのシェル型の受け入れ窪み１３１を含む。リレー幅に対して、第１接触面１１１−１は、リレーハウジング１２９のベース面１３３上にあり、コンタクトアーム１１３は、第１接触面１１１−１の上方に距離を置いて配置され、絶縁要素１１５は、コンタクトアーム１１３の上方または隣に配置される。
【００６８】
第１接触面１１１−１および第２接触面１１１−２は、相互にオフセットされたコンタクトアーム１１３と接触する。第１接触面１１１−１および第２接触面１１１−２の、コンタクトアーム１１３との接触面では、それぞれの接触面１１１−１、１１１−２およびコンタクトアーム１１３上に、リレー幅の方向においてある幅を有する接触点２０３−１、２０３−２、２０３−３、２０３−４が設けられる。故に、第１接触面１１１−１の接触点２０３−３を第２接触面１１１−２の更なる接触点２０３−４にオフセット配置すること、および、接触点２０３−１、２０３−３の対および接触点２０３−２、２０３−４の対を互いの上方に配置することを防止することができる。それに応じて、このような接触点２０３−１、２０３−２、２０３−３、２０３−４の配置で、リレー幅が有利に減少する。
【００６９】
コンタクトアーム１１３は、接触部分１３５と、クランク部分１３７と、固定部分１３９とを含み、第１接触面１１１−１は接触部分１３５の下方に配置され、第２接触面１１１−２は接触部分１３５の上方に配置される。接触部分１３５は、クランク部分１３７を介して固定部分１３９に接続され、クランク部分１３７は、リレー幅と平行かつ支持面１１７と垂直な軸に沿って固定部分１３９に対してオフセットされた接触部分１３５を位置決めするように適合される。更に、開閉接続接点１４５−２は、導電性を有するように、リベット接続２０５を介してコンタクトアーム１１３の固定部分１３９に接続される。
【００７０】
図３は、設置スペースを減らした端子台に組み込むためのリレー１００の概略図を示す。リレー１００は電磁駆動装置１０１を含み、電磁駆動装置１０１は、アーマチャ１０３と、アーマチャ軸受けばね１０５と、ヨーク１０７とを含む。アーマチャ１０３は、ヨーク１０７から少なくとも部分的に距離を置いて移動可能に装着される。
【００７１】
リレー１００は更に接点ばね１０９を含み、接点ばね１０９は、第１接触面１１１−１と、第２接触面１１１−２と、コンタクトアーム１１３とを含む。コンタクトアーム１１３は、第１接触面１１１−１から距離を置いて配置される。更に、リレーは、アーマチャ１０３上に配置され、かつ、コンタクトアーム１１３の受け入れアーム３０７上にある、絶縁要素１１５を含む。絶縁要素１１５は、アーマチャ１０３をコンタクトアーム１１３から電気的に分離するように適合され、アーマチャ１０３を動かすことによりコンタクトアーム１１３に作用する圧迫力を提供すべく、受け入れアーム３０７を介してコンタクトアーム１１３を作動させるように適合される。アーマチャ１０３、絶縁要素１１５、コンタクトアーム１１３、およびヨーク１０７はそれぞれ、支持面１１７と平行に配置され、アーマチャ１０３、絶縁要素１１５、およびコンタクトアーム１１３は、支持面１１７に対して垂直に少なくとも部分的に移動可能に装着される。
【００７２】
ヨーク１０７はＵ字型であり、第１ヨーク脚部１１９−１と第２ヨーク脚部１１９−２とを含み、アーマチャ１０３は、アーマチャ軸受けばね１０５を用いて第１ヨーク脚部１１９−１上に弾性的に装着される。第１ヨーク脚部１１９−１および第２ヨーク脚部１１９−２は、支持面１１７に配置され、アーマチャ１０３は、第１ヨーク脚部１１９−１および第２ヨーク脚部１１９−２と垂直に配置される。
【００７３】
リレー１００は更に、２つの電磁コイル１２１−１、１２１−２と、２つのコイルキャリア１２３−１、１２３−２とを含む。第１ヨーク脚部１１９−１上には、コイルキャリア１２３−１と共に電磁コイル１２１−１が配置され、第２ヨーク脚部１１９−２上には、更なるコイルキャリア１２３−２と共に更なる電磁コイル１２１−２が配置される。コイルキャリア１２３−１、１２３−２はそれぞれ、支持面１１７と平行な窪み１２５を含み、窪み１２５において、支持面１１７と垂直な幅を減らすべく、それぞれの電磁コイル１２１−１、１２１−２がそれぞれのヨーク脚部１１９−１、１１９−２に係合する。
【００７４】
リレー１００は更にリレーハウジング１２９を含み、リレーハウジング１２９は、電磁駆動装置１０１を絶縁要素１１５および接点ばね１０９と共に受け入れるためのシェル型の受け入れニッチ１３１を含む。更に、コンタクトアーム１１３は、方位方向１２７にアーマチャ１０３と垂直に配向され、第１接触面１１１−１および第２接触面１１１−２は、支持面１１７と平行な共通軸に沿って相互に配向される。故に、第１接触面１１１−１から始まるばね接点開閉器１０９の装置が積層され、第１接触面１１１−１は、リレーハウジング１２９のベース面１３３上に配置され、コンタクトアーム１１３は、その上にあるかまたは離間され、第２接触面１１１−２は、コンタクトアーム１１３上にあるかまたは離間される。
【００７５】
コンタクトアーム１１３は、接触部分１３５と、クランク部分１３７と、固定部分１３９とを含み、第１接触面１１１−１は接触部分１３５の下方に配置され、第２接触面１１１−２は接触部分１３５の上方に配置される。接触部分１３５は、オフセット部分１３７を介して固定部分１３９に接続され、オフセット部分１３７は、リレー幅と平行かつ支持面１１７と垂直な軸に沿って固定部分１３９に対してオフセットされた接触部分１３５を位置決めするように適合される。
【００７６】
更に、コンタクトアーム１１３は、接触部分１３５および／またはクランク部分１３７上に横方向に形成される受け入れアーム３０７を含み、受け入れアーム３０７は、絶縁要素１１５との形状適合接続および／または圧入接続を確立すべく、絶縁要素１１５を少なくとも部分的に受け入れるように適合される。
【００７７】
第１接触面１１１−１はＬ字形であり、短い方の脚部の一端がコンタクトアーム１１３と位置合わせされる。長い方の脚部上には、リレーハウジング１２９から突出する開閉接続接点１４５−１が成形される。第２接触面１１１−２には、特にＺ字型の角があり、第１角度付き脚部１４９が、コンタクトアーム１１３と位置合わせされ、更なる角度付き脚部１５０が、コンタクトアーム１１３と平行に距離を置いて配置される。更なる角度付き脚部１５０上には、更なる開閉接続接点１４５−３が成形される。
【００７８】
第２接触面１１１−２は、角度付き脚部１４９、１５０を接続し、かつ、リレー全幅に沿ってまたは支持面１１７と垂直にオフセットされたこれら２つの角度付き脚部１４９、１５０を配置するように適合される、オフセット部分１４７も含む。それに応じて、角度付き脚部１４９は、コンタクトアーム１１３の上方に配置され、更なる角度付き脚部１５０は、１つの平面、特に第１接触面１１１−１を含む支持面１１７に配置される。
【００７９】
リレー１００は更なる開閉接続接点１４５−２も含み、更なる開閉接続接点１４５−２は、開閉接続接点１４５−１および１４５−３と平行に配置され、リレーハウジング１２９から突出する。更なる開閉接続接点１４５−２は、コンタクトアーム１１３と電気的に接続される。
【００８０】
リレー１００は２つのリレー接続接点１４３−１、１４３−２も含み、リレー接続接点１４３−１、１４３−２は、電磁コイル１２１−１、１２１−２に電気信号を付与すべく、電磁コイル１２１−１、１２１−２と電気的に接続される。
【００８１】
図４ａは、リレー１００の概略的な断面図を示す。断面は、図３に示す切断線３０１に沿ったものである。リレー１００は、電磁駆動装置１０１を第１ヨーク脚部１１９−１および第２ヨーク脚部１１９−２と共に受け入れるためのシェル型の受け入れ窪み１３１を含むリレーハウジング１２９を有する。
【００８２】
アーマチャ１０３が第２ヨーク脚部１１９−２から距離を置いて、かつ、第１ヨーク脚部１１９−１から部分的に距離を置いて配置されるため、アーマチャ１０３と第２ヨーク脚部１１９−２との間には加工間隙２０１が存在する。電磁力の影響下では、アーマチャ１０３の動きで加工間隙２０１を克服できるため、アーマチャ１０３は第２ヨーク脚部１１９−２上に静止する。
【００８３】
第１接触面１１１−１および第２接触面１１１−２は、相互に合同的にコンタクトアーム１１３と接触する。第１接触面１１１−１および第２接触面１１１−２の、コンタクトアーム１１３との接触面では、それぞれの接触面１１１−１、１１１−２およびコンタクトアーム１１３−４上に、リレー幅の方向においてある幅を有する接触点２０３−１、２０３−２、２０３−３、２０３−４が設けられる。ここでは、接点ばね１０９の幅がリレー幅を下回る。接触点２０３−１、２０３−３の対および接触点２０３−２、２０３−４の対は、共通の対称軸４０３を有する。
【００８４】
受け入れアーム３０７は、絶縁要素１１５とコンタクトアーム１１３との間の形状適合接続を実現すべく絶縁要素１１５の結合要素４０１が係合する窪みを含む。絶縁要素１１５および第２接触面１１１−２は、リレー高の方向においてアーマチャ１０３の最大高さを超えないため、第２接触面１１１−２および絶縁要素１１５によって、リレーの構造高さが増加することはない。
【００８５】
図４ｂは、リレー１００の概略的な断面図を示す。断面は、図３に示す断面線３０３に沿ったものである。リレー１００は、電磁駆動装置１０１を第２ヨーク脚部１１９−２と共に受け入れるためのシェル型の受け入れニッチ１３１を含むリレーハウジング１２９を有する。結合要素４０１は、形状が半球状であり、受け入れアーム３０７内の窪みに係合する。結合要素４０１と受け入れアーム３０７の窪みとはそれぞれ、半径が０．５ｍｍである。
【００８６】
電磁コイル１２１−２は、コイルキャリア１２３−２上に配置され、円筒状の第２ヨーク脚部１１９−２を囲む。更には、電磁コイル１２１−２に電気信号を供給できるリレー接続接点１４３−１が示されている。
【００８７】
図５は、リレーハウジング１２９を含むリレー１００の概略図を示す。リレーハウジング１２９は特にトラフ状であり、リレー接続接点１４３−１、１４３−２および開閉接続接点１４５−１、１４５−２、１４５−３の方向に開いている。リレーハウジング１２９上には、リレーハウジング１２９を横方向に閉鎖する側壁５０５も配置される。開閉接続接点１４５−１、１４５−２、１４５−３の領域では、側壁５０５が窪み５０１を含む。窪み５０１があると、特に、開閉接続接点１４５−１、１４５−２、１４５−３の領域に相互に隣接して配置されるリレー１００間の絶縁距離および漏れ距離を、特にそれぞれのリレー幅を増やすことなく、増やすことができる。
【００８８】
リレーハウジング１２９と側壁５０５との複合体はベースプレート５０３により閉ざされているため、側壁５０５とベースプレート５０３とを含むリレーハウジング１２９は、内側が密閉されている。リレーハウジング１２９を埃、湿気、または他の環境の影響から密封すべく、側壁５０５を含むベースプレート５０３とリレーハウジング１２９との間の当接縁は特に密封することができる。
【００８９】
リレーハウジング１２９上には固定要素５０９−１、５０９−２、５０９−４が形成され、側壁５０５上には固定要素５０９−３が形成される。固定要素５０９−１、５０９−２、５０９−３、５０９−４は特に、ラッチラグ、バーブ、スナップインコネクタ、クランプコネクタ、および／またはプラグコネクタであってよい。更には、固定要素５０９−１、５０９−２、５０９−３、５０９−４を使用してベースプレート５０３とリレープラグインコネクタとの間の距離を定義できるため、リレー１００をリレープラグインコネクタ、特に端子台に差し込んだ後、リレーハウジング１２９とリレープラグコネクタとの間には間隙が形成される。
【００９０】
リレーハウジング１２９、側壁５０５、およびベースプレート５０３は、接続接点側にトラフを形成することができ、ベースプレート５０３は、特にリレーハウジング１２９および側壁５０５に対して、リレーハウジング１２９の内側の方向にオフセットされる。このトラフは、リレーハウジング１２９、開閉接続接点１４５−１、１４５−２、１４５−３、および／またはリレー接続接点１４３−１、１４３−２を密封すべく、流動性の絶縁材料または密封材料で満たすことができる。絶縁材料または密封材料は、リレー１００の強力なシールおよび／または弾性シールを生成すべく、充填後に硬化させることができる。
【００９１】
ベースプレート５０３は、接点受け入れニッチ５１３−１、５１３−２、５１３−３、５１３−４、５１３−５を含み、接点受け入れニッチ５１３−１、５１３−２、５１３−３、５１３−４、５１３−５には、開閉接続接点１４５−１、１４５−２、１４５−３およびリレー接続接点１４３−１、１４３−２がそれぞれ係合する。側壁５０５はエンボス加工５０７も含む。リレーハウジング１２９は、側壁５０５内の案内溝に係合し、かつ、側壁５０５を形状適合方式でリレーハウジング１２９に接続する、形状適合コネクタ５１１も含む。形状適合コネクタ５１１を用いた、側壁５０５の、リレーハウジング１２９への形状適合接続は特に、側壁５０５の外周を取り巻くことができる。更に、形状適合接続は、シーリング材を導入することにより密封することができる。形状適合コネクタ５１１はＬ字形であり、リレーハウジング１２９と一体に形成される。
【００９２】
特にリレー１００は、開閉接続接点１４５−１、１４５−２、１４５−３の接続線と平行な線および／またはリレーハウジング１２９の長手方向縁部に沿って定義されるリレー全長５１５を有する。リレー長５１５は特に２８ｍｍである。更に、リレーは、リレーハウジング１２９の更なる長手方向縁部に沿って定義され、かつ、特に固定要素５０９−１を含み得る、リレー全高５１７を有する。リレー全高５１７は特に、１５ｍｍから１５．５ｍｍである。
【００９３】
図６ａは、図５に示す実施形態に係るリレーの概略的な側面図を示す。リレーハウジング１２９の幅および側壁５０５の幅を介して、リレー幅６０１が定義される。リレー全幅６０１は特に、３ｍｍである。リレーハウジング１２９は固定要素５０９−１を含み、固定要素５０９−１はリレーハウジング１２９と一体に形成される。開閉接続接点１４５−１は、リレー１００のベース領域１３３上にある。
【００９４】
図６ｂは、底壁５０３を含む側壁５０５の概略的な斜視図を示す。窪み５０１によって、側壁を閉鎖し、かつ、リレーハウジング１２９の内側に突出する、段差が形成される。底壁５０３は、側壁５０５に垂直に取り付けられる。側壁５０５はへこみ５０７も含む。固定要素５０９−２は、１つの平面のある平面内で側壁５０５に取り付けられる。ベースプレート５０３は、接点受け入れニッチ５１３−１、５１３−２、５１３−３、５１３−４、５１３−５を含み、接点受け入れニッチ５１３−１、５１３−２、５１３−３、５１３−４、５１３−５を用いて、リレーの開閉接続接点および／またはリレー接点を外側に導出することができる。
【００９５】
図７は、図３に示す実施形態に係るリレー１００の概略図を示す。コンタクトアーム１１３は、接触部分１３５および／またはクランク部分１３７の上に横方向に形成される受け入れアーム３０７を含む。受け入れアーム３０７は、絶縁要素１１５との形状適合接続および／または圧入接続を形成すべく絶縁要素１１５を少なくとも部分的に受け入れるように適合される開口部７０１を含む。絶縁要素１１５は、特に細長い孔状開口部７０１を少なくとも部分的に貫通することができる。開口部７０１は、例えば受け入れアーム３０７内のエンボス加工により形成することができる。
【００９６】
コイルキャリア１２３−１および更なるコイルキャリア１２３−２は、接続要素７０７を介して相互に接続される。コイルキャリア１２３−１、１２３−２は、接続要素７０７と一体に形成することができる。
【００９７】
図８ａは、図７に示す実施形態に係るリレー１００の概略的な断面図を示す。断面は、図７に示す断面線７０３に沿ったものである。受け入れアーム３０７は、絶縁要素１１５と受け入れアーム３０７との間の形状適合接続を実現すべく絶縁要素１１５の結合要素４０１が係合する開口部７０１を含む。結合要素４０１は、円筒状および／または円錐状であり、絶縁要素１１５と受け入れアーム３０７との間の圧入接続および／または形状適合接続を実現すべく、開口部７０１を通過するように適合される。特に結合要素４０１が開口部７０１を貫通するように結合要素４０１が開口部７０１に挿入された後、結合要素４０１は、リレーハウジング１２９の方向に突出する。結合要素４０１は、絶縁要素１１５と受け入れアーム３０７との間の接続が解除されるのを防止すべく、スナップイン接続によって開口部７０１に固定することができる。突出部は、０．０５ｍｍから０．５ｍｍの範囲であってよい。
【００９８】
図８ｂは、リレー１００の概略的な断面図を示す。断面は、図７に示す切断線７０５に沿ったものである。結合要素４０１は、絶縁要素１１５の方向に先細りになる断面を含む。結合要素４０１は特に、形状適合方式で開口部７０１に係合すべく、円錐状、台形状、ピラミッド状、またはピン状であってよい。受け入れアーム３０７の開口部７０１は、開口部７０１との接触領域において、０．１ｍｍから１ｍｍの範囲の半径を有する。
【００９９】
［参照符号一覧］１００：リレー１０１：電磁駆動アセンブリ１０３：アーマチャ１０５：アーマチャ軸受けばね１０７：ヨーク１０９：接点ばね１１１−１：第１接触面１１１−２：第２接触面１１３：コンタクトアーム１１５：絶縁要素１１７：支持面１１９−１：第１ヨーク脚部１１９−２：第２ヨーク脚部１２１−１：電磁コイル１２１−２：電磁コイル１２３−１：コイルキャリア１２３−２：コイルキャリア１２５：窪み１２７：位置方向１２９：リレーハウジング１３１：受け入れニッチ１３３：ベース領域１３５：接触部分１３７：クランク部分１３９：固定部分１４１：切断面１４３−１：リレー接続接点１４３−２：リレー接続接点１４５−１：開閉接続接点１４５−２：開閉接続接点１４５−３：開閉接続接点１４７：オフセット部分２０１：加工間隙２０３−１：接触点２０３−２：接触点２０３−３：接触点２０３−４：接触点２０５：リベット接続３０１：切断面３０３：切断面３０７：支持アーム４０１：結合要素４０３：対称軸５０１：窪み５０３：ベースプレート５０５：側壁５０７：エンボス加工５０９−１：固定要素５０９−２：固定要素５０９−３：固定要素５０９−４：固定要素５０９−５：固定要素５１１：形状適合コネクタ５１３−１：受け入れニッチ５１３−２：受け入れニッチ５１３−３：受け入れニッチ５１３−４：受け入れニッチ５１３−５：受け入れニッチ５１５：リレー長５１７：リレー高６０１：リレー幅７０１：開口部７０３：断面７０５：断面７０７：コネクタ
【図１】
2021520037.tif 000003
【図２ａ】
2021520037.tif 000004
【図２ｂ】
2021520037.tif 000005
【図３】
2021520037.tif 000006
【図４ａ】
2021520037.tif 000007
【図４ｂ】
2021520037.tif 000008
【図５】
2021520037.tif 000009
【図６ａ】
2021520037.tif 000010
【図６ｂ】
2021520037.tif 000011
【図７】
2021520037.tif 000012
【図８ａ】
2021520037.tif 000013
【図８ｂ】
2021520037.tif 000014
【国際調査報告】
2021520037.tif 000015
2021520037.tif 000016
2021520037.tif 000017
2021520037.tif 000018